(57)【要約】      （修正有）【課題】食後すぐに乳幼児の歯磨きをすることが可能なフォークないしスプーン付き歯ブラシを提供する。【解決手段】歯を磨くためのブラシが柄の端部に取り付けられたブラシ部材と、フォークないしスプーンが柄の端部に取り付けられたフォークないしスプーン部材とを備え、ブラシ部材とフォークないしスプーン部材の一方の柄には筒状連結具が、他方の柄には筒状連結具にはめ込む棒状連結具がそれぞれ設けられ、筒状連結具または棒状連結具の一方に設けられた突起を、筒状連結具または棒状連結具の他方にその長さ方向に沿って設けられたガイド溝に挿通し、突起をガイド溝とほぼ直角になるよう設けられた係合部にはまり合うようブラシ部材とフォークないしスプーン部材とを相対的に回すことにより、ブラシ部材とフォークないしスプーン部材の両者を延長方向に取付け取外し自在とした。【選択図】図１
0003110402.tif 000002
【実用新案登録請求の範囲】
【請求項１】
歯を磨くためのブラシが柄の端部に取り付けられたブラシ部材と、フォークないしスプーンが柄の端部に取り付けられたフォークないしスプーン部材とを備え、ブラシ部材とフォークないしスプーン部材の一方の柄には筒状連結具が、他方の柄には当該筒状連結具にはめ込む棒状連結具がそれぞれ設けられ、筒状連結具または棒状連結具の一方に設けられた突起を、筒状連結具または棒状連結具の他方にその長さ方向に沿って設けられたガイド溝に挿通し、上記突起をガイド溝とほぼ直角になるよう設けられた係合部にはまり合うようブラシ部材とフォークないしスプーン部材とを相対的に回すことにより、ブラシ部材とフォークないしスプーン部材の両者を延長方向に取付け取外し自在としたことを特徴とするフォークないしスプーン付き歯ブラシ。
【請求項２】
ブラシ部材とフォークないしスプーン部材の一方の柄に設けた筒状連結具が、柄の先端方向にのみならず、反対方向にも棒状連結具が取付け取外し自在に形成されており、ブラシ部材とフォークないしスプーン部材の両者を同じ向きに重なり合うように取付け取外し自在としたことを特徴とする請求項１記載のフォークないしスプーン付き歯ブラシ。
【請求項３】
筒状連結具または棒状連結具の一方の端部に糸ヨウジの一端を取付けるとともに、筒状連結具または棒状連結具の他方の端部にスリットを設け、このスリットに糸ヨウジの他端を取付け取外し自在としたことを特徴とする請求項１記載のフォークないしスプーン付き歯ブラシ。
【考案の詳細な説明】
【技術分野】
【０００１】
この考案はフォークないしスプーン付き歯ブラシに関し、歯を磨くためと飲食品を食するための双方に利用することができ、特に口腔内を清潔にする上で好適なフォークないしスプーン付き歯ブラシを提供しようとするものである。
【背景技術】
【０００２】
飲食した後に口腔内を十分に清潔な状態に保つことは難しく、歯ブラシを使用して歯を磨いたり、水や薬品を用いてうがいをすること等により口腔内を清潔に保っている。
【０００３】
しかしながら、飲食した後に歯ブラシを使用して歯を磨くことは、自宅や歯ブラシの用意のある職場等では可能であるとはいえ、出先の場合には不可能であった。また乳幼児に食事を与えている場合等においては、食後すぐに歯磨きをしたい場合が多い。
【０００４】
なお、この考案のように歯ブラシ部材と他の用途の部材とを組み合わせた歯ブラシとしては、特開平８−３８２５３号公報（特許文献１参照）のように、歯ブラシと舌苔削ぎ部材とを組み合わせた歯ブラシが知られており、上記舌苔削ぎ部材がスプーンに近い構造を備えている。
【特許文献１】特開平８−３８２５３号公報
【考案の開示】
【考案が解決しようとする課題】
【０００５】
しかしながら、特開平８−３８２５３号公報（特許文献１参照）に示された上記歯ブラシ部材と舌苔削ぎ部材とを組み合わせた歯ブラシは、舌苔削ぎ部材の中央部分に貫通孔が設けてあり、スプーンとしての用途では使用することができないものである。
【０００６】
また上記歯ブラシ部材と舌苔削ぎ部材とを組み合わせた歯ブラシは、歯ブラシ部材と舌苔削ぎ部材と柄で連結されており、全体として非常に長いものとなってしまうという欠点があった。
【０００７】
この考案は上記問題点に鑑み、出先の場合等においてフォークないしスプーン部材を用いて飲食した後、直ちに歯磨きをすることができ、また乳幼児に食事を与えている場合等においても、食後すぐに乳幼児の歯磨きをすることが可能なフォークないしスプーン付き歯ブラシを提供することを目的とする。
【課題を解決するための手段】
【０００８】
すなわちこの考案のフォークないしスプーン付き歯ブラシは、歯を磨くためのブラシが柄の端部に取り付けられたブラシ部材と、フォークないしスプーンが柄の端部に取り付けられたフォークないしスプーン部材とを備え、ブラシ部材とフォークないしスプーン部材の一方の柄には筒状連結具が、他方の柄には当該筒状連結具にはめ込む棒状連結具がそれぞれ設けられ、筒状連結具または棒状連結具の一方に設けられた突起を、筒状連結具または棒状連結具の他方にその長さ方向に沿って設けられたガイド溝に挿通し、上記突起をガイド溝とほぼ直角になるよう設けられた係合部にはまり合うようブラシ部材とフォークないしスプーン部材とを相対的に回すことにより、ブラシ部材とフォークないしスプーン部材の両者を延長方向に取付け取外し自在としたことを特徴とするものである。
【０００９】
また、この考案のフォークないしスプーン付き歯ブラシは、上記ブラシ部材とフォークないしスプーン部材の一方の柄に設けた筒状連結具が、柄の先端方向にのみならず、反対方向にも棒状連結具が取付け取外し自在に形成されており、ブラシ部材とフォークないしスプーン部材の両者を同じ向きに重なり合うように取付け取外し自在としたことをも特徴とするものである。
【００１０】
この考案のフォークないしスプーン付き歯ブラシは、上記筒状連結具または棒状連結具の一方の端部に糸ヨウジの一端を取付けるとともに、筒状連結具または棒状連結具の他方の端部にスリットを設け、このスリットに糸ヨウジの他端を取付け取外し自在としたことをも特徴とするものである。
【考案の効果】
【００１１】
この考案によれば、出先の場合等においてフォークないしスプーン部材を用いて飲食した後、直ちに歯磨きをすることができ、また乳幼児に食事を与えている場合等においても、食後すぐに乳幼児の歯磨きをすることが可能なフォークないしスプーン付き歯ブラシを提供することができる。
【００１２】
またこの考案によれば、上記ブラシ部材とフォークないしスプーン部材の一方の柄に設けた筒状連結具が、柄の先端方向にのみならず、反対方向にも棒状連結具が取付け取外し自在に形成されており、ブラシ部材とフォークないしスプーン部材の両者を同じ向きに重なり合うように取付け取外し自在となっており、非常にコンパクトに畳んで収納することができ、持ち運びに非常に便利なフォークないしスプーン付き歯ブラシを提供することができる。
【００１３】
この考案のフォークないしスプーン付き歯ブラシは、上記筒状連結具または棒状連結具の一方の柄の端部に糸ヨウジの一端を取付けるとともに、筒状連結具または棒状連結具の他方の柄の端部にスリットを設け、このスリットに糸ヨウジの他端を取付け取外し自在としたものである。
【００１４】
したがって、歯ブラシによる歯磨きだけでなく、糸ヨウジによる口腔内の清掃も可能であって、口腔内を非常に清潔に保つことができ、しかも特別に糸ヨウジを持ち運ばなくてもこの考案のフォークないしスプーン付き歯ブラシを携行するだけでよく、非常に便利である。
【考案を実施するための最良の形態】
【００１５】
以下、この考案のフォークないしスプーン付き歯ブラシの実施の形態につき、図１ないし図５を参照して説明する。
図１はこの考案のフォークないしスプーン付き歯ブラシの１実施例を示し、（ａ）はブラシ部材とフォークないしスプーン部材とを分解した状態の側面図、（ｂ）はブラシ部材とフォークないしスプーン部材とを延長方向に連結した状態の側面図、（ｃ）はブラシ部材とフォークないしスプーン部材とを延長方向に連結し、両者を相対的に回して係合した状態の側面図、図２は延長方向に係合した状態の断面図、図３（ａ）はブラシ部材とフォークないしスプーン部材とを方向を揃えて分解した状態の側面図、（ｂ）はブラシ部材とフォークないしスプーン部材とを方向を揃えて連結した状態の側面図、（ｃ）はブラシ部材とフォークないしスプーン部材とを方向を揃えて連結し、両者を相対的に回して係合した状態の側面図、図４は係合した状態の断面図、図５（ａ）は糸ヨウジを使用できるように張設した状態の側面図、（ｂ）は糸ヨウジの取り付け方を示す説明図である。
【００１６】
これらの図１および図２において、ブラシ部材１１は多数の細くて所定の長さに整形された毛状の材料により構成され、棒状の柄１２の端部に形成した多数の細孔中にブラシ１３が植設されている。
そして柄１２の端部には棒状連結具１４が一体的に設けられ、その端部から長さ方向に沿ってガイド溝１５が形成されている。またガイド溝１５の奥部もしくは適宜位置にガイド溝１５とほぼ直角になるよう係合部１６が形成されている。図ではこの係合部１６はガイド溝１５を横切って形成された１／４円の円弧状の溝である。
【００１７】
フォークないしスプーン部材２１は上記ブラシ部材１１とは別個に形成されている。すなわち、フォークないしスプーン部材２１は柄２２を備え、その端部には上記ブラシ部材１１の棒状連結具１４にはまり合う筒状連結具２３が取り付けられている。また筒状連結具２３の端部には内向きの突起２４が形成されている。
したがって、図１（ａ）のようにブラシ部材１１とフォークないしスプーン部材２１とを柄１２，２２側で向き合わせ、上記フォークないしスプーン部材２１の筒状連結具２３に上記ブラシ部材１１の棒状連結具１４を挿通し、上記突起２４をガイド溝１５に沿って押し込むとともに、図１（ｂ）のように所定位置において上記ブラシ部材１１とフォークないしスプーン部材２１とを相対的に９０°回すことにより、図１（ｃ）のようにブラシ部材１１とフォークないしスプーン部材２１の両者を延長方向に取り付けることができるのである。もちろん上記と逆の操作をすれば、ブラシ部材１１とフォークないしスプーン部材２１とは簡単に取り外すことができる。
図では、係合部１６がガイド溝１５の長さ方向に所定の間隔で一対形成されており、ブラシ部材１１とフォークないしスプーン部材２１の両者を延長方向に取付け取外しする場合には内側の係合部１６−１に突起２４をはめ込むことが望ましい。
【００１８】
また、この考案のフォークないしスプーン付き歯ブラシは、図３および図４に示すように、上記フォークないしスプーン部材２１の柄２２に設けた筒状連結具２３が、柄の先端方向にのみならず、反対方向にも棒状連結具１４をはめ込むことが可能になっている。
すなわち、図３（ａ）のようにブラシ部材１１とフォークないしスプーン部材２１の向きを揃え、上記フォークないしスプーン部材２１の筒状連結具２３に上記ブラシ部材１１の棒状連結具１４を挿通し、上記突起２４をガイド溝１５に沿って押し込むとともに、図３（ｂ）のように所定位置において上記ブラシ部材１１とフォークないしスプーン部材２１とを相対的に９０°回すことにより、図３（ｃ）のようにブラシ部材１１とフォークないしスプーン部材２１の両者を同じ向きに重なり合うように取り付けることができるのである。もちろん上記と逆の操作をすれば、ブラシ部材１１とフォークないしスプーン部材２１とは簡単に取り外すことができる。
ブラシ部材１１とフォークないしスプーン部材２１の両者を同じ向きに重ねて取付け取外しする場合には外側の係合部１６−２に突起２４をはめ込むことが望ましい。
したがって、ブラシ部材１１とフォークないしスプーン部材２１とを非常にコンパクトに畳んで収納することができ、持ち運びに非常に便利なフォークないしスプーン付き歯ブラシを提供することができる。
【００１９】
図５（ａ），（ｂ）にこの考案のフォークないしスプーン付き歯ブラシの他の実施例を示す。
この例では、フォークないしスプーン部材２１の上記筒状連結具２３の端部に糸ヨウジ３１の一端を取り付けるとともに、ブラシ部材１１の棒状連結具１４の端部にはスリット３２を設け、このスリット３２に糸ヨウジ３１の他端を差し込んで、結んで玉にした端部３３を引っ掛けて取り付けられるようにしてある。もちろん、取り外しも自由である。
その際、フォークないしスプーン部材２１の上記筒状連結具２３の端部にプレス等によって突起２４を形成する際に開けられた通孔３４を、糸ヨウジ３１の一端を取り付けるのに利用することができる。
すなわち同図（ｂ）に示すように、二つ折りにした糸ヨウジ３１の二つ折り部分を上記通孔３４に挿通し、その上で二つ折り部分のループに糸ヨウジ３１の先端を差し込んで引き下ろすことにより、筒状連結具２３の通孔３４に糸ヨウジ３１を簡単に取り付け取り外すことができる。
この実施例においては、ブラシ部材１１の棒状連結具１４の端部側を口中に入れ、フォークないしスプーン部材２１の筒状連結具２３の端部を口外として、対象者の歯間等を糸ヨウジ３１で清掃することができる。その際、左右の手を使って糸ヨウジ３１を効率よく使うことができる。
【００２０】
上記ブラシ１３の材料としては、適当な硬さを持ち、肌に優しく、耐水性及び耐候性に優れ、汚れが付着しにくい材料が用いられる。その材料としてはナイロン、ポリプロピレン等の樹脂、及び動物の毛等が代表的なものとして挙げられる。
柄１２，２２の形状等は、断面が角のない矩形の形をもち、全体として棒状で、手に持ち易い形及び大きさに形成される。
柄１２，２２の材料としては、耐候性、耐水性、成形性、及び耐久性に優れ、適当な硬度及び曲げ強度、適度の耐熱性及び対衝撃性を持ち、軽くて手触りがよく、汚れが付着しにくい、又は付着した汚れを水洗いで簡単に落とすことができる材料の中から適当なものが選択される。その代表的なものとして、ＡＳ樹脂（アクリロニトリル−スチレン）、ＡＢＳ樹脂（アクリロニトリル−ブタジエン）等のスチレン系樹脂、プロピオン酸セルロース等の繊維系樹脂、ポリカーボネート、ポリブチレンテレフタレート等の高分子樹脂、木類、及び軽金属類等が挙げられる。
【００２１】
また、フォークないしスプーン部材２１の材料としては、上記柄１２，２２に用いられた材料の他、ステンレス等の金属類、アルミ等の軽金属類、金、白金等の貴金属類、セラミックス類、及びシリコーンゴム、ウレタンゴム、フッ素系ゴム等の硬質系のゴム等も使用することができる。なお、これらの材料は上記柄１２，２２全体の材料として使用してもよい。
【００２２】
次に本実施例のフォークないしスプーン付き歯ブラシの具体的な使用方法について説明する。
使用時にはブラシ部材１１とフォークないしスプーン部材２１とを分解して用いることができる。また、ブラシ部材１１とフォークないしスプーン部材２１の両者を延長方向に取り付けて所定の長さとし、その上で使用することもできる。ブラシ部材１１とフォークないしスプーン部材２１の両者を連結するには、図１（ａ）のようにブラシ部材１１とフォークないしスプーン部材２１とを柄１２，２２側で向き合わせ、上記フォークないしスプーン部材２１の筒状連結具２３に上記ブラシ部材１１の棒状連結具１４を挿通し、上記突起２４をガイド溝１５に沿って押し込むとともに、図１（ｂ）のように所定位置において上記ブラシ部材１１とフォークないしスプーン部材２１とを相対的に９０°回すことにより、図１（ｃ）のように連結することができる。
ブラシ部材１１の使用に際しては、柄１２を手に持って歯磨きすればよい。またフォークないしスプーン部材２１の使用に際しては、柄２２を手に持って飲食に供すれよい。
【００２３】
使用が終わると、上記ブラシ部材１１とフォークないしスプーン部材２１とを連結する際とは逆の操作で取り外し、ブラシ部材１１とフォークないしスプーン部材２１の両者を同じ向きに重なり合うように取り付けることができる。
すなわち、図３（ａ）のようにブラシ部材１１とフォークないしスプーン部材２１の向きを揃え、上記フォークないしスプーン部材２１の筒状連結具２３に上記ブラシ部材１１の棒状連結具１４を挿通し、上記突起２４をガイド溝１５に沿って押し込むとともに、図３（ｂ）のように所定位置において上記ブラシ部材１１とフォークないしスプーン部材２１とを相対的に９０°回すことにより、図３（ｃ）のようにブラシ部材１１とフォークないしスプーン部材２１の両者を同じ向きに重なり合うように取り付けることができるのである。
したがって、ブラシ部材１１とフォークないしスプーン部材２１とを非常にコンパクトに畳んで収納することができる。
【産業上の利用可能性】
【００２４】
上記実施例では、フォークないしスプーン部材２１としてスプーンの形状を例示したが、フォークの形状であってもよいことはもちろんである。このようにこの考案は上記実施例に限定されず、この考案の要旨を逸脱しない範囲で種々の構成を取り得る。
【図面の簡単な説明】
【００２５】
【図１】この考案のフォークないしスプーン付き歯ブラシの１実施例を示し、（ａ）はブラシ部材とフォークないしスプーン部材とを分解した状態の側面図、（ｂ）はブラシ部材とフォークないしスプーン部材とを延長方向に連結した状態の側面図、（ｃ）はブラシ部材とフォークないしスプーン部材とを延長方向に連結し、両者を相対的に回して係合した状態の側面図である。
【図２】延長方向に係合した状態の断面図である。
【図３】（ａ）はブラシ部材とフォークないしスプーン部材とを方向を揃えて分解した状態の側面図、（ｂ）はブラシ部材とフォークないしスプーン部材とを方向を揃えて連結した状態の側面図、（ｃ）はブラシ部材とフォークないしスプーン部材とを方向を揃えて連結し、両者を相対的に回して係合した状態の側面図である。
【図４】係合した状態の断面図である。
【図５】（ａ）は糸ヨウジを使用できるように張設した状態の側面図、（ｂ）は糸ヨウジの取り付け方を示す説明図である。
【符号の説明】
【００２６】
１１  ブラシ部材
１２  棒状の柄
１３  ブラシ
１４  棒状連結具
１５  ガイド溝
１６，１６−１，１６−２  係合部
２１  フォークないしスプーン部材
２２  柄
２３  筒状連結具
２４  突起
３１  糸ヨウジ
３２  スリット
３３  玉にした端部
３４  通孔
【図１】
0003110402.tif 000003
【図２】
0003110402.tif 000004
【図３】
0003110402.tif 000005
【図４】
0003110402.tif 000006
【図５】
0003110402.tif 000007